(57)【要約】【課題】本発明は、複数の光学部品を簡便に配置することができ、様々な外径の光学部品の取り付け取り外しが簡便で、保持溝の変形を招来しにくい光学部品保持具を提供する。【解決手段】基準線Ｌ２上に隣接配置される複数の光学部品Ｓの保持空間３を挟んで対向配置された第１保持部４及び第２保持部５と、保持空間３に光学部品Ｓを配置した状態にて第２保持部５を光学部品Ｓとともに第１保持部４方向へ押圧する押圧手段１５とを備え、第１保持部４及び第２保持部５には、それぞれ保持空間３内で保持される各光学部品Ｓを保持する単位保持部６が形成されていることを特徴とする光学部品保持具。【選択図】図１
2010156848.tif 000002
【特許請求の範囲】
【請求項１】
基準線上に隣接配置される複数の光学部品の保持空間を挟んで対向配置された第１保持部及び第２保持部と、
前記保持空間に光学部品を配置した状態にて前記第２保持部を前記光学部品とともに前記第１保持部方向へ押圧する押圧手段とを備え、
前記第１保持部及び前記第２保持部には、それぞれ前記保持空間内で保持される各光学部品を保持する単位保持部が形成されていることを特徴とする光学部品保持具。
【請求項２】
前記第１保持部及び前記第２保持部が、弾性部材からなる基板に一体に形成され、
前記基板には、前記第１保持部及び前記第２保持部間に板面間方向に向けて前記保持空間が形成され、かつ、これら保持空間に連続し、前記第１保持部の周囲に沿って第１のスリットが形成され、該第１スリットにより前記第２保持部が前記第１保持部に対して弾性的に接近又は離間自在とされていることを特徴とする請求項１に記載の光学部品保持具。
【請求項３】
前記第１保持部の各単位保持部は、前記第２保持部方向へ向けて拡開するＶ字状の切欠部を備え、該切欠部の内面が前記光学部品の保持面とされていることを特徴とする請求項１又は２に記載の光学部品保持具。
【請求項４】
前記各単位保持部には、前記切欠部の中心部から前記対向する方向へ向けてセンタースリットが形成され、かつ、前記単位保持部の両側に、前記第２保持部側を開口させて前記方向に向けてサイドスリットが形成されていることを特徴とする請求項３に記載の光学部品保持具。
【請求項５】
前記押圧手段は、前記第１保持部及び前記第２保持部のいずれか一方に設けられた雄螺子と、同他方に設けられた雌螺子とを備えていることを特徴とする請求項１に記載の光学部品保持具。
【請求項６】
前記押圧手段は、前記第１保持部及び前記第２保持部のいずれか一方に設けられた磁石からなる吸引部材と、同他方に設けられた前記吸引部材により吸引される被吸引部とを備えていることを特徴とする請求項１に記載の光学部品保持具。
【発明の詳細な説明】
【技術分野】
【０００１】
本発明は、光学部品保持具に関する。
【背景技術】
【０００２】
従来より、レンズ等の光学部品の表面を洗浄、コーティング又は運搬等をする際に、単数又は複数の光学部品の外周を保持してこれを行うことのできる光学部品保持具が用いられている。このような光学部品保持具としては、例えば下記特許文献１に記載の光学部品保持具が知られている。
特許文献１に記載の光学部品保持具は、バネ用ステンレス銅等の弾性部材からなる板体で形成された保持具であり、図６に示すように、摺り割り溝（摺り割部）１０１の略中央部に、光学部品（不図示）を保持するための円形状の保持孔１０２が形成された保持溝１０３と、摺り割り溝１０１を広げて光学部品を配置させる際の保持板１０４、１０４の左右への逃げ部となる逃げ溝１０５が交互に設けられ、複数の光学部品が保持できるようにされている。
【０００３】
保持孔１０２の径は光学部品の径より僅かに小さく形成されているが、摺り割り溝１０１、逃げ溝１０５によりその寸法が可変とされている。
かかる保持具１００において光学部品を保持溝１０３に配置するにあたっては、保持溝１０３の摺り割り部１０１にドライバ等の工具（不図示）を挿入することにより保持孔１０２を押し広げ、光学部品を保持孔１０２に配置し、工具を引き抜くことにより、保持具１００自体の弾性力を用いて光学部品を保持するようにする。
この保持具１００においては、一つの光学部品を配置するたびに、一つずつ保持孔１０２を工具によって弾性変形させて広げ、配置後に光学部品を損傷しないよう保持孔１０２を弾性復帰させるという作業を行う。
【特許文献１】特開平３−２８８１０７号公報
【発明の開示】
【発明が解決しようとする課題】
【０００４】
しかしながら、上記従来の保持具においては以下の課題が残されていた。
即ち、上述のとおり、一つの光学部品を配置するために、配置する保持孔１０２を一つずつ押し広げる必要があるため、リードタイムが増加してしまうという問題があった。
また、保持溝１０３の摺り割り部１０１に直接工具を挿入して光学部品を取り付け、及び、取り外しを行うため、同作業を繰り返し光学部品の着脱をしている間に、図７に示すように、保持溝１０３を形成する両側の保持板１０４、１０４間において段差が生じたり、保持溝１０３が広がったままで弾性復帰しにくくなり、その結果、光学部品が適切に挟持されずに、抜け落ちたり、弾き飛ばされたり、光学部品に余計な力がかかり損傷を招いたりする等の装着不良が生じやすくなるという問題があった。
また、保持溝１０３の摺り割り部１０１の開きに限界があるため、保持孔１０２に装着される光学部品の外径寸法が限定的となるという問題があった。
また、保持溝１０３の摺り割り部１０１に工具を挿入しながら、同じ保持溝１０３の略中央部に形成された保持孔１０２に光学部品を適切に配置させるため、微妙な力加減での作業が求められ、作業に熟練を要するという問題があった。
【０００５】
本発明は、上記事情に鑑みてなされたものであり、複数の光学部品を簡便に配置することができ、様々な外径の光学部品の取り付け取り外しが簡便で、保持溝の変形を招来しにくい光学部品保持具を提供することを目的とする。
【課題を解決するための手段】
【０００６】
上記目的を達成するために、この発明は以下の手段を備えて提供している。
本発明の光学部品保持具は、基準線上に隣接配置される複数の光学部品の保持空間を挟んで対向配置された第１保持部及び第２保持部と、前記保持空間に光学部品を配置した状態にて前記第２保持部を前記光学部品とともに前記第１保持部方向へ押圧する押圧手段とを備え、前記第１保持部及び前記第２保持部には、それぞれ前記保持空間内で保持される各光学部品を保持する単位保持部が形成されているものを備えて提供する。
【０００７】
本発明の光学部品保持具では、前記第１保持部及び前記第２保持部が、弾性部材からなる基板に一体に形成され、前記基板には、前記第１保持部及び前記第２保持部間に板面間方向に向けて前記保持空間が形成され、かつ、これら保持空間に連続し、前記第１保持部の周囲に沿って第１のスリットが形成され、該第１スリットにより前記第２保持部が前記第１保持部に対して弾性的に接近又は離間自在とされていることが好ましい。
【０００８】
本発明の光学部品保持具では、前記第１保持部の各単位保持部は、前記第２保持部方向へ向けて拡開するＶ字状の切欠部を備え、該切欠部の内面が前記光学部品の保持面とされていることが好ましい。
【０００９】
本発明の光学部品保持具では、前記各単位保持部には、前記切欠部の中心部から前記対向する方向へ向けてセンタースリットが形成され、かつ、前記単位保持部の両側に、前記第２保持部側を開口させて前記方向に向けてサイドスリットが形成されていることが好ましい。
【００１０】
本発明の光学部品保持具では、前記押圧手段は、前記第１保持部及び前記第２保持部のいずれか一方に設けられた雄螺子と、同他方に設けられた雌螺子とを備えていることが好ましい。
【００１１】
本発明の光学部品保持具では、前記押圧手段は、前記第１保持部及び前記第２保持部のいずれか一方に設けられた磁石からなる吸引部材と、同他方に設けられた前記吸引部材により吸引される被吸引部とを備えていることが好ましい。
【発明の効果】
【００１２】
本発明の光学部品保持具によれば、光学部品を保持空間保持する際に、一度の工具挿入で保持空間全体を広げることができ、複数の光学部品をまとめて配置するが容易となり、光学部品を手早く保持空間に配置することが適切かつ容易となるため、リードタイムの減少を図ることができる。
【００１３】
また、従来の光学部品保持具のように工具をレンズ保持面の保持板の溝に直接挿入するのではなく、光学部品の保持空間と離間した箇所において保持空間の大きさの調整をするので、光学部品を直接保持する部材の位置関係に影響を与えることが少なくなり、長期にわたり光学部品を適切に保持することが可能となるため、光学部品保持具の長寿命化が図れる。
【００１４】
また、Ｖ字状の切欠部と第２保持部とで保持する場合には、少なくとも３点により光学部品を保持することになり、光学部品の外径の大きさに拘束されることを軽減することができる。
【００１５】
また、保持部の位置関係が変化しにくくなるので、光学部品を段差違いで保持したり、落下させたりすることが大きく軽減されるようになるので、光学部品保持具のよる光学部品の損傷を回避することにつながる。
【発明を実施するための最良の形態】
【００１６】
以下、図１から図３を参照して、本発明を光学レンズの保持具に適用した場合の第１実施形態について説明する。
（第１実施形態）
図１は、本発明の第１実施形態として示した光学部品保持具１の要部を示す平面図であり、図２は、光学部品保持具１の全体を示す斜視図である。図３は、図１のＡ−Ａ線において矢印方向に視た断面図である。
【００１７】
図１及び図２において、光学部品保持具１は、バネ性リン青銅からなる矩形の基板２により形成されてなるものである。
【００１８】
前記材料からなる基板２は、矩形の長辺側に沿って形成された保持空間３を挟んで対向配置される第１保持部４及び第２保持部５と、保持空間３に光学レンズＳを配置させた状態にて第２保持部５を光学レンズＳとともに第１保持部４方向へ押圧する押圧手段１５を備えたものである。
【００１９】
保持空間３は、複数の光学レンズＳが配置されるスペースである。保持空間３は、基板２の板面間方向に貫通するように形成され、その中に後述する複数の単位保持部６に保持された光学レンズＳが基準線Ｌ１上に隣接配置された構成となっている。この第１保持部４と第２保持部５との間に保持される各光学レンズＳは、その各レンズの光軸が基準線Ｌ１上にくるように保持空間３において一列に配置される。
【００２０】
第１保持部４は、複数の単位保持部６から構成されている。
【００２１】
単位保持部６は、光学レンズＳを個別に1つずつ保持するものであって、図３に示すように、基板２の基部２ａから漸次薄厚となるように形成された基端部２ｂから第２保持部５方向へ延出するように形成されている。
この単位保持部６は、その両側部に第１、第２保持部４、５間方向に向けて形成されたサイドスリット７、７間に位置している。サイドスリット７は、後述するように、単位保持部６の弾性変形を許容する逃げ部を構成している。
【００２２】
単位保持部６の第２保持部５側は、第２保持部５方向に向けて拡開するＶ字状の溝９（Ｖ字状の切欠部）が形成されている。この単位保持部６のＶ字状の溝９の中心部分からは、第１、第２保持部４、５の対向する方向に向けてセンタースリット１０が形成されている。
溝９の傾斜面は、光学レンズＳを保持する保持面９ａ、９ｂとなっている。
【００２３】
この構成の下に、単位保持部６は、センタースリット１０とサイドスリット７、７との間に位置する２つの保持板部６ａ、６ｂからなっており、保持面９ａ、９ｂにより光学レンズＳの周面の２箇所に当接してこれを保持するように構成されている。この場合、保持板部６ａ、６ｂの厚みは、図３に示すように基端部から第２保持部５側へ向けて略均一の薄肉とされ、光学レンズＳの外周部の厚さより若干薄くなるように形成されている。
【００２４】
この場合、各単位保持部６の先端は、仮想線（基準線）Ｌ２に沿って突出先端の長さがそろった突出長となっており、仮想線Ｌ２から第２保持部５までの寸法Ｌ３は光学レンズＳの径より若干小さい寸法とされている。
【００２５】
上記の構成において、単位保持部６を構成する保持板部６ａ、６ｂは、サイドスリット７、円形の孔８、及びセンタースリット１０が存在することによって、センタースリット１０の中心線Ｍに直交する矢印Ｑ、Ｒ方向に僅かに弾性変形できるようになっている。
【００２６】
隣接する単位保持部６についても、上記の同様の構成とされており、１つの単位保持部６のサイドスリット７が、隣接する単位保持部６サイドスリット７にもなっている。
【００２７】
第２保持部５は、光学レンズＳを挟んで第１保持部４に対向する位置に帯状に設けられており、各単位保持部６のセンタースリット１０対向する部分に光学レンズＳを保持する保持面５ａを有している。
【００２８】
この構成の下に、単位保持部６のＶ字状の保持面９ａ、９ｂ、及び、第２保持部５の保持面５ａに囲まれた空間が各光学レンズＳを保持する単位保持空間１１を構成している。
【００２９】
また、基板２には、光学レンズＳの保持空間３に連続するように、第１スリット１２が形成されている。
この第１スリット１２は、第２保持部５と平行に延在する先端部１２ａと、この先端部１２ａからサイドスリット７と平行に第１保持部４の基端部側に延在する中間部１２ｂと、この中間部１２ｂの基端から先端部１２ａと平行に延在する基端部１２ｃとから成っていて屈曲されている。
【００３０】
また、基板２には、この第１スリット１２の基端部１２ｃの後方に、この基端部１２ｃと平行にノックピン挿入スリット１３が形成されている。ノックピン挿入スリット１３の基端部側には、ノックピン挿入孔１４が形成されている。なお、ノックピン挿入スリット１３におけるスリット幅の中心線は、矩形の基板２の長手方向の中心線と一致している。
【００３１】
この構成において、ノックピン挿入孔１４よりもやや径の大きいノックピン（不図示）を該ノックピン挿入孔１４に挿入したときに、基板２の側部２ｄ及びこの側部２ｄに連続する第２保持部５が、第１保持部４に対して離間・接近する方向、すなわちＸ−Ｙ方向に弾性的に変位できるようになっている。
【００３２】
したがって、第１スリット１２及びノックピン挿入スリット１３は、これらを保持空間３に光学レンズＳを配置した際に、第２保持部５を該光学レンズＳとともに第１保持部４の各単位保持部６方向に弾性的に押圧する押圧手段１５を構成している。
なお、光学部品保持具１は、図２に示すように、矩形の基板２に、第１保持部４、第２保持部５を、基板２の長手方向の中心線を挟むような背合わせをして、２組設けた構成となっている。
【００３３】
次に、上記の光学部品保持具１に光学レンズＳを保持する方法について説明する。
まず、ノックピン挿入孔１４にノックピン（不図示）を挿入し、基板２の側部２ｄを介して第２保持部５を第１保持部４から離間する方向に変位させる。この状態において、各単位保持部６に対する第２保持部５の間隔が広がり、光学レンズＳの保持空間３のスペースが光学レンズＳより若干大きめになる。
【００３４】
この状態で各単位保持部６に光学レンズＳを配置し、その後ノックピンを徐々に引き抜くことで、第２保持部５が第１保持部４に対して接近する方向に変位し、第２保持部５が光学レンズＳとともに、第１保持部４の単位保持部６方向に押圧される。最終的に光学レンズＳが単位保持部６の保持面９ａ、９ｂ及び第２保持部５の保持面５ａに保持されることになる。
【００３５】
この光学部品保持具１によれば、光学レンズＳを保持空間３に保持する際に、ノックピン挿入孔１４にノックピンを挿入するだけで、第１保持部４に対して第２保持部５を離間させることができ、即ち、各光学レンズＳの単位保持空間１１を拡開させることができ、したがって、この際複数の光学レンズＳを各単位保持空間１１に配置でき、ノックピンを離脱させることによりこれら複数の光学レンズＳを同時に保持することが可能となる。これによって、光学レンズＳを光学部品保持具１に装着する作業を効率的に行うことができ、リードタイムの減少を図ることができる。
【００３６】
また、第１保持部４の保持面９ａ、９ｂと、押圧手段１５により第１保持部４から離間することのできる第２保持部５の保持面５ａとの３面から、点接触により光学レンズＳを保持するので、光学レンズＳの外径が異なる場合にも、同径のレンズのロットごとに保持が可能であるという利点がある。
【００３７】
したがって、従来の光学部品保持具のように工具をレンズ保持面の保持板の溝に直接挿入するのではなく、本実施形態の第１保持部４、第２保持部５、及び保持空間３と離間した箇所においてノックピンを挿入して、第２保持部５の調整をするので、第１保持部４と第２保持部５の位置関係に影響を与えることが少なくなり、長期にわたり光学レンズＳを適切に保持することが可能となるため、光学部品保持具１の長寿命化が図れる。
【００３８】
また、第１保持部４と第２保持部５との位置関係が変化しにくくなるので、光学レンズＳを段差違いで保持したり、落下させたりすることが大きく軽減されるようになるので、光学部品保持具１のよる光学レンズＳの損傷を回避することにつながる。
【００３９】
（第２の実施形態）
次に、図を参照して第２実施形態について説明する。図４において、第１実施形態と同一部分については同一符号を付しその説明を省略する。
この第２実施形態は、第１実施形態と、第１保持部４に対して第２保持部５を押圧する押圧手段１５において構成が異なっている。
【００４０】
この実施形態における光学部品保持具２０は、第１保持部４が形成された基板２２ａに対して、第２保持部５が形成された基板２２ｂが分離された構成とされており、第１保持部４には、第２保持部５と対向する面の両端部に位置させて雌螺子孔２５が形成されており、また、第２保持部５には、その両端部に位置させて頭部２６ａを有する雄螺子２６が回転自在に支持されている。各雄螺子２６は、雌螺子孔２５に螺着されている。
基板２２ａは、バネ性リン青銅で形成され、基板２２ｂは、ステンレス鋼で形成されている。
【００４１】
この構成の下に、各雄螺子２６の頭部２６ａを回動操作することによって、第２保持部５が第１保持部４に対して、接近・離間できるようにされている。
この実施形態においても、第２保持部５を第１保持部４から離間させた状態で保持空間３に光学レンズＳを位置させ、雄螺子２６を緊締することによって、該光学レンズＳを保持空間３に保持することができる。
なお、図４において（イ）で示す側は、第１保持部４に対して第２保持部５を分離した状態を示しており、（ロ）で示す側は、第１保持部４と第２保持部５との間で光学レンズＳを保持し、雄螺子２６を雌螺子２５に緊締した状態を示している。
本実施形態による光学レンズ保持具２０によっても、第１実施形態と同様の効果を得ることができる。
【００４２】
（第３実施の形態）
次に、図５を参照して、第３実施形態について説明する。図５において、第１実施形態と同一部分については同一符号を付しその説明を省略する。
この第３実施形態は、第１実施形態と、第１保持部４に対して第２保持部５を押圧する押圧手段１５において構成が異なっている。
この実施形態においては、第１保持部４が形成された基板３２ａに対して第２保持部５が形成された基板３２ｂが分離された構成とされている。
基板３２ａは、バネ性リン青銅で形成され、基板３２ｂは、マルテンサイト系ステンレス鋼で形成されている。
【００４３】
第１保持部４の形成された基板３２ａには、第２保持部５と対向する面に、第２保持部５に対向する方向に向けて長孔３５が設けられ、その先端面両側部においてマグネット（磁石からなる吸引部材）３６が設けられている。基板３２ｂは、上記材料により形成されることによって、被吸引部３８を構成している。
また、第２保持部５の形成された基板３２ｂには、棒状のノックピン３７が設けられている。
この棒状のノックピン３７は、長穴３５に挿入配置され、基板３２ｂである被吸引部３８がマグネット３６に吸引されるように構成されている。
【００４４】
この構成においても、基板３２ａに対して基板３２ｂを離間させた状態において光学レンズＳを保持空間３に配置し、マグネット３６と被吸引部３８との吸引力によって第２保持部５を光学レンズＳとともに第１保持部４側に押圧することにより光学レンズＳを保持する。
本実施形態においても、第１実施形態と同様の効果を得ることができる。
【００４５】
なお、第１〜３実施形態において、基板２、２２ａ、３２ａは、バネ性リン青銅で形成されているが、本願発明はこれに限定されるものではなく、バネ性ステンレス鋼等を基板２２ａに採用することができる。
また、第２実施形態において、基板２２ｂは、ステンレス鋼で形成されているが、これに代えてＳ４５Ｃ等を用いることも可能である。
さらに、第３実施形態において、基板２２ｂは、マルテンサイト系ステンレス鋼で形成されているが、これに代えてＳ４５Ｃ等の磁性体を用いることも可能である。
【図面の簡単な説明】
【００４６】
【図１】は、本発明の第１実施形態として示した光学部品保持具１の要部を示す平面図である。
【図２】は、本発明の第１実施形態による光学部品保持具の全体を示す概略斜視図である。
【図３】は、図１のＡ−Ａ線において矢印方向に視た断面図である。
【図４】は、本発明の第２実施形態による光学部品保持具の全体を示す概略平面図である。
【図５】は、本発明の第３実施形態による光学部品保持具の全体を示す概略平面図である。
【図６】は、従来の光学部品保持具を示す概略構成図である。
【図７】は、従来の光学部品保持具による不都合が生じた場合を示す説明図である。
【符号の説明】
【００４７】
１、２０、３０    光学部品保持具
２    基板
３    保持空間
４    第１保持部材
５    第２保持部材
６    単位保持部
７    サイドスリット
９    溝９（Ｖ字状の切欠部）    
１０  センタースリット
１２  第１スリット  
１５  押圧手段
２５  雌螺子
２６  雄螺子
３６  マグネット  （磁石からなる吸引部材）
３８  被吸引部
Ｌ２  仮想線（基準線）
Ｓ    光学部品
【図１】
2010156848.tif 000003
【図２】
2010156848.tif 000004
【図３】
2010156848.tif 000005
【図４】
2010156848.tif 000006
【図５】
2010156848.tif 000007
【図６】
2010156848.tif 000008
【図７】
2010156848.tif 000009